(57)【要約】【課題】磁性体を磁性体面から分離させることによってシート部材の着脱を行い、その際に磁性体面から挟持装置本体が離れ落ちることがないようにする。互いに吸着し合うように設けられた磁石体同士を分離させることによってシート部材の着脱を行い、その際に挟持装置の本体同士が離間することがないようにする。【解決手段】挟持装置の本体形状が平板状である。本体の一方の面、すなわち底面部が平坦な面に接触した場合に、その接触面との間で徐々に間隙が大きくなるようにテーパー状の平面部を２個以上備えている。それぞれの平面部に磁石体が設けられている。平面部を４個とし、それぞれの平面部に磁石体を設けた場合、点対称の位置にある磁石体同士を同じ極性とし、隣り合う磁石体同士を異なる極性とする。【選択図】図１
2006281743.tif 000002
【特許請求の範囲】
【請求項１】
平板状の本体の一方の面側がそのほぼ中央付近からその周囲に向かうに従って板厚が減少するようなテーパー状の平面部を少なくとも２個備え、前記平面部のそれぞれに磁石体が設けられていることを特徴とする挟持装置。
【請求項２】
請求項１に記載の挟持装置において、前記平面部が４個存在し、前記平面部のそれぞれに１個の磁石体が設けられ、点対称の位置にあるもの同士の極性は同じであり、前記磁石体の隣り合うもの同士の極性は異なることを特徴とする挟持装置。
【請求項３】
請求項１又は２に記載の挟持装置において、前記本体の他方の面側に滑り止め防止部材を設けたことを特徴とする挟持装置。
【請求項４】
請求項１、２又は３に記載の挟持装置を２個用意し、前記平面部が一致するように前記磁石体同士を吸着させたことを特徴とする挟持装置。
【請求項５】
請求項１、２、３又は４に記載の挟持装置において、前記平面部に２個以上の磁石体を設けたことを特徴とする挟持装置。
【発明の詳細な説明】
【技術分野】
【０００１】
この発明は、シート状のメモ用紙、書類、写真などを挟持したり、衣類やバスタオル、シーツ等を磁石の吸着力を用いて挟持する挟持装置に関する。
【背景技術】
【０００２】
従来、掲示板、パーテーション、スチール家具、冷蔵庫等の磁性体面（壁面）に磁石の吸引力を用いたマグネットホルダは知られている。これは、ホルダー本体の裏側面に磁石を取り付けただけのものであり、磁石の吸着される壁面とマグネットホルダの磁石との間にシート状のメモ用紙、書類、写真などを挟み込んで保持するものである。マグネットホルダに挟み込まれている紙などを取り外すときは、一方の手で紙を持ちながら他方の手でマグネットホルダを壁面から取り除くという作業を行っていた。このようにシート部材着脱の都度、マグネットホルダ手で着脱させることは面倒であった。
【０００３】
これに対して、特許文献１には、シート部材の位置などを微調整するたびにマグネットホルダを着脱するという作業を行わなくてもシート部材を容易に着脱することができるようにしたものが記載されている。これは、透明若しくは半透明の合成樹脂製板体の一方部分裏面に磁石体を配設し、この磁石体と磁性体面との間でシート部材を保持するとともに、このシート保持部に隣接する板体の他方部分がテーパー面をなしており、シート部材を取り付けたり、取り外したりする際には、テーパー面をなした板体を磁性体面に押し付ることにより、磁石体を磁性体面から分離させ、そこに間隙を生じさせ、シート部材の着脱を行えるようにしたものである。
【特許文献１】特開２０００−６２３７２号公報
【発明の開示】
【発明が解決しようとする課題】
【０００４】
特許文献１に記載されたものは、磁石を磁性体面に着脱することによって、シート部材を保持するように構成されている。すなわち、特許文献１に記載されたマグネットホルダは、掲示板、パーテーション、スチール家具、冷蔵庫等の磁性体面（壁面）と協働することによってシート部材を挟持することができるものであり、磁性体面のない状態ではシート部材を挟持することはできなかった。また、磁石体を磁性体面から分離させた瞬間にマグネットホルダ自体が磁性体面から離れ落ちてしまうおそれがある。
【０００５】
一方、特許文献１に記載されたマグネットホルダを２個準備し、両方の磁石が互いに吸着し合うように磁石体の極性を構成することによって、磁性体面がなくてもシート部材を挟持することができる。このとき、前述と同様にテーパー面をなした板体同士を重ね合わせることにより、磁石体同士を分離させ、そこに間隙を生じさせることでシート部材の着脱を行うことができる。ところが、磁石体同士を分離させた瞬間にマグネットホルダ同士が離れてしまうおそれがある。
この発明は、磁性体を磁性体面から分離させることによってシート部材の着脱を行い、その際に磁性体面から挟持装置本体が離れ落ちることがないように構成された挟持装置を提供することを目的とする。
この発明は、互いに吸着し合うように設けられた磁石体同士を分離させることによってシート部材の着脱を行い、その際に挟持装置の本体同士が離間することがないように構成された挟持装置を提供することを目的とする。
【課題を解決するための手段】
【０００６】
本発明の挟持装置の第１の特徴は、平板状の本体の一方の面側がそのほぼ中央付近からその周囲に向かうに従って板厚が減少するようなテーパー状の平面部を少なくとも２個備え、前記平面部のそれぞれに磁石体が設けられていることにある。
挟持装置の本体形状が平板状である。本体の一方の面、すなわち底面部が平坦な面に接触した場合に、その接触面との間で徐々に間隙が大きくなるようにテーパー状の平面部を２個以上備えている。この平面部が２個の場合は、本体形状は長方形状となり、３個以上の場合は三角形状や円形状となる。このような本体形状の挟持装置のそれぞれの平面部に磁石体が設けられている。例えば、本体形状が長方形状の場合、２個の平面部に磁石体が設けられているので、一方の磁石体を磁性体面から分離させた瞬間に他方の磁石体が磁性体面に吸着するので、挟持装置自体が磁性体面から離れ落ちてしまうことがない。また、このような挟持装置を２個準備し、両方の磁石体が互いに吸着し合うようにしてシート部材を挟持した場合でも一方の磁石体同士を分離させた瞬間に他方の磁石体同士が吸着し合うので、挟持装置同士が離れてしまうこともない。これは、平面部が３個以上の場合でも同様である。
【０００７】
本発明の挟持装置の第２の特徴は、前記第１の特徴に記載の挟持装置において、前記平面部が４個存在し、前記平面部のそれぞれに１個の磁石体が設けられ、点対称の位置にあるもの同士の極性は同じであり、前記磁石体の隣り合うもの同士の極性は異なることにある。
前述のように挟持装置の本体形状は、平板状であれば、長方形状、円形、三角形など種々の形状でよい。この場合、平面部を４個とし、それぞれの平面部に磁石体を設けた場合、点対称の位置にある磁石体同士を同じ極性とし、隣り合う磁石体同士を異なる極性とする。これによって、全く同じ挟持装置を２個組み合わるだけで、両方の磁石体を互いに吸着し合うように使用することができる。また、磁石体同士が吸着し合った状態で吸着箇所を中心に回転応力が加わったとしても、両隣の磁石体同士が反発し合うことによって、挟持装置同士が回転し難くなるという効果がある。
【０００８】
本発明の挟持装置の第３の特徴は、前記第１又は２の特徴に記載の挟持装置において、前記本体の他方の面側に滑り止め防止部材を設けたことにある。
挟持装置本体がプラスチック等の材質で形成された場合、磁石体の存在しない面が磁性体面と直接接触する場合がある。このような場合に、磁石体が直接磁性体面に接触しないので、挟持装置の上面が磁性体面に対して滑りやすくなり、自重によって落下する可能性がある。そこで、挟持装置本体の上面側にラバー、ゴム、ジェル、面ファスナー、ウレタン、発砲、吸盤などの滑り止め防止部材を設けることによって、磁性体面と滑り止め防止部材との間の摩擦によって、挟持装置自体が自重によって落下することを防止することができる。
【０００９】
本発明の挟持装置の第４の特徴は、前記第１、２又は３の特徴に記載の挟持装置を２個用意し、前記平面部が一致するように前記磁石体同士を吸着させたことにある。
これは、挟持装置を２個組み合わて、両方の磁石体を互いに吸着し合うように使用することによって、シート部材を挟持したり、洗濯ばさみ等のように衣料品などを挟持することができるようにしたものである。
【００１０】
本発明の挟持装置の第５の特徴は、前記第１、２、３又は４の特徴に記載の挟持装置において、前記平面部に２個以上の磁石体を設けたことにある。
これは、挟持装置を２個組み合わて、両方の磁石体を互いに吸着し合うように使用した場合に、２個以上の磁石体同士が吸着し合うので、回転応力が加わったとしても、挟持装置同士が回転し難くなるようにしたものである。
【発明の効果】
【００１１】
この発明によれば、磁性体を磁性体面から分離させることによってシート部材の着脱を行い、その際に磁性体面から挟持装置本体が離れ落ちることがない。また、この発明によれば、互いに吸着し合うように設けられた磁石体同士を分離させることによってシート部材の着脱を行い、その際に挟持装置の本体同士が離間することがない。
【発明を実施するための最良の形態】
【００１２】
以下添付図面に従って本発明に係る挟持装置の好ましい実施の形態について説明する。この実施の形態では挟持装置として円形状のクリップを例に説明する。図１は、本発明の挟持装置の全体構成を示す図である。図１（Ａ）は、円形状のクリップを側面から見た図、図１（Ｂ）は図１（Ａ）の上面図、図１（Ｃ）は図１（Ａ）の底面図、図１（Ｄ）は図１（Ａ）の右側面図、図１（Ｅ）は図１（Ｄ）の底面図である。なお、図１（Ｅ）は図１（Ｃ）を４５度回転したものと同じである。
【００１３】
図１から明らかなように、この実施の形態に係る挟持装置すなわちクリップ１０は、４個の磁石体１１〜１４を底面部に備えている。磁石体１１〜１４は、クリップ１０の本体に設けられた円筒状の穴に埋め込まれ、そこに接着固定されている。クリップ１０の上面１Ａは球面の一部から形成されている。クリップ１０の底面部は、４個の磁石体１１〜１４がそれぞれ埋め込まれるように形成された扇形をした４枚の平坦部１５〜１８を有する。これらの扇形をした平坦部１５〜１８に取り囲まれるように四角形をした底面部１９を有する。平坦部１５〜１８は、図１（Ａ）及び図１（Ｂ）に示すように、底面部１９が平坦な面に接触した場合に、その接触面との間で徐々に間隙が大きくなるようにテーパー面を形成している。すなわち、テーパー状の平坦部１５〜１８は、平板状のクリップ１０の本体の一方の面側のほぼ中央付近からその周囲に向かうに従って板厚が減少するようになっている。このテーパー面と磁石体１１〜１４の底面とが一致するように磁石体１１〜１４は、クリップ１０の本体内に埋め込まれている。
【００１４】
図２は、図１のクリップ１０が掲示板、パーテーション、スチール家具、冷蔵庫等の磁性体面（壁面）に吸着した状態を示す図である。図から明らかなように、クリップ１０は、平坦部１５〜１８のいずれか一つの平面のみが磁性体面２０に接触するように構成されている。従って、磁石体１１〜１４もいずれか一つのみが磁性体面２０に吸着することになる。図２（Ａ）は、磁石体１４が磁性体面に吸着している状態を示し、図２（Ｂ）は、磁石体１４とは反対側の小磁石体１２が磁性体面２０に吸着している状態を示す。図２（Ｂ）の状態でクリップ１０の下側から磁性体面２０との間の間隙部にシート部材（メモ用紙、書類、写真、ガラス、布などのように磁石が吸着可能な範囲の薄い物）２２を挿入し、クリップ１０の上面１Ａ側の磁石体１４近傍を磁性体面２０側に押し付けることによって、磁石体１４が磁性体面２０に吸着し、シート部材２２をクリップ１０によって保持することができるようになる。
【００１５】
図３は、図１のクリップを２個組み合わせることによって、シート状のメモ用紙、書類、写真などを挟持したり、衣類やバスタオル、シーツ等を挟持するようにしたものである。図１のクリップ１０において、磁石体１１，１３の底面部がＮ極となり、平坦部１５，１７を形成し、磁石体１２，１４の底面部がＳ極となり、平坦部１６，１８を形成する。このように構成されたクリップ１０ａ，１０ｂを２個用意して、磁石体同士を吸着させると、図３に示すように、クリップ１０ａの磁石体１４ａ（Ｓ極）とクリップ１０ｂの磁石体１３ｂ（Ｎ極）とが互いに吸着することによって、図３（Ａ）のように、磁石体１２ａと磁石体１１ｂとの間に大きな間隙部が形成される。この間隙部にシート部材等な挟み込み、クリップ１０ａ，１０ｂの上面１Ａ側の磁石体１２ａ，１１ｂ近傍を両側から押し付けることによって、図３（Ｂ）のように、クリップ１０ａの磁石体１４ａ（Ｓ極）とクリップ１０ｂの磁石体１３ｂ（Ｎ極）とが分離し、逆に今度はクリップ１０ａの磁石体１２ａ（Ｓ極）とクリップ１０ｂの磁石体１１ｂ（Ｎ極）とが互いに吸着し、シート部材２２等をクリップ１０ａ，１０ｂによって挟持することができるようになる。挟持した物体を取り外す場合には、クリップ１０ａ，１０ｂの下面側の磁石体１４ａ，１３ｂ近傍を両側から押し付ければよい。なお、このような２個のクリップ１０ａ，１０ｂを用いた場合、シート部材の他にも衣類やバスタオル、シーツ等を挟持することも可能となり、クリップ１０ａ，１０ｂが洗濯ばさみとして利用することができる。また、図３（Ｃ）に示すように、クリップ１０ａ，１０ｂでシート部材２３を挟み込み、その上からさらにシート部材２２を挟み込むことも可能である。
【００１６】
図４は、図３のクリップを２個組み合わせたものを磁性体面に吸着した場合の一例を示す図である。図２に示すように１個のクリップ１０を用いて磁性体面に磁石体を吸着することでシート部材を保持することができるが、図４に示すように、図３のクリップ１０ａ，１０ｂを２個組み合わせたものを用いた場合、クリック１０ａ，１０ｂの上面１Ａ側は、磁石体１１ａ〜１４ａによって磁性体面２０に吸着するので、２個のクリップ１０ａ，１０ｂを組み合わせものを磁性体面２０に吸着させて、シート部材などを保持することが可能となる。
【００１７】
なお、このときに、クリップ１０ａ，１０ｂの上面１Ａが磁性体面２０と直接接触するが、クリップ１０ａ，１０ｂの上面１Ａが磁性体面２０に対して滑りやすい部材でできていると、クリップ１０ａ，１０ｂ自体が自重によって落下するおそれがある。そこで、クリップ１０ａ，１０ｂの上面１Ａ部分に図４（Ｂ）のような滑り止め部材（ラバーやゴム製品）１Ｂを設けるようにした。これによって、磁性体面２０と滑り止め部材１Ｂとの間の摩擦によって、クリップ１０ａ，１０ｂ自体が自重によって落下することがなくなる。また、図３に示すようにクリップを２個組み合わせて使用する場合、磁石体をクリップ表面側に設け、その表面を磁性体面に吸着させるようにしてもよい。例えば、図４の滑り止め部材１Ｂを磁石体で構成したり、滑り止め部材１Ｂ内に磁石を埋め込んでもよい。
【００１８】
また、上述の実施の形態では、クリップ１０ａ，１０ｂの上面１Ａの形状を球面の一部で形成する場合について説明したが、これに限定されるものではなく、どのような形状でもよいことはいうまでもない。この場合、滑り止め部材によってその形状を適宜変更可能としてもよい。
【００１９】
さらに、図２のように１個のクリップ１０で磁性体面２０に磁石体１１〜１４のいずれか一つを吸着させてシート部材２２を保持する場合には、磁石体１１〜１４のの極性は、どのようになっていてもよい。すなわち、磁石体１１〜１４の底面部がＳ極、Ｎ極のどちらでも構わないが、図３及び図４のように２個のクリップ１０ａ，１０ｂを組み合わせて使用することを考慮した場合には、点対称の位置にある磁石体１１〜１４の底面部同士の極性を一致させることが好ましい。
【００２０】
このように、点対称の位置にある磁石体１１〜１４の底面部同士の極性を一致させることによって、図３及び図４のように吸着した状態では、クリップ１０ａの磁石体１２ａに対向するクリップ１０ｂの磁石体１１ｂとは異なる極性となるために互いに吸着し合うが、クリップ１０ａの磁石体１２ａの両隣に位置するクリップ１０ｂの磁石体１４ｂ，１２ｂとは同じ極性となるために互いに反発し合う。同じく、クリップ１０ｂの磁石体１１ｂの両隣に位置するクリップ１０ａの磁石体１１ａ，１３ａとは同じ極性となるために互いに反発し合う。従って、図３及び図４に示すように磁石体１４ａ，１３ｂによって互いに吸着したクリップ１０ａ，１０ｂがその吸着箇所を中心に回転応力が加わったとしても、前述の両隣の磁石体同士が反発し合うことによって、クリップ１０ａ，１０ｂは回転し難くなるという効果がある。
【００２１】
上述の実施の形態では、磁石体を４個設ける場合について説明したが、図５（Ａ）に示すように、３個のテーパー状の底面に３個の磁石体を設けてもよい。図５（Ａ）に示すように３個のテーパー状底面に３個の磁石体を設けたものの場合、２個のクリップを組み合わせて使用する場合に、図５（Ａ）の他に図５（Ｂ）に示すように磁石体の極性が互いに異なる２種類のクリップを作成しなければならない。また、テーパー状の底面に設ける磁石体の数は１個に限定せず、図５（Ｃ）に示すように複数個設けてもよい。さらに、図５（Ｄ）に示すように、２個のテーパー状の底面に２個の磁石体を設けるようにしてもよい。なお、図５（Ｄ）のように、２個の磁石体を設けたものの場合、２個のクリップを組み合わせて使用した場合、前述のように吸着箇所を中心に回転応力が加わった場合に、簡単に回転してしまうという欠点がある。そこで、前述と同様に図５（Ｅ）に示すように、テーパー状の底面に磁石体を複数設けることによって、回転応力によって簡単に回転するのを防止することが可能となる。
【００２２】
また、図４の実施の形態では、上面１Ａに滑り止め部材（ラバーやゴム製品）を設ける場合について説明したが、このような滑り止め部材をテーパー状底面部に設けるようにしてもよい。この場合、滑り止め部材を磁石体の周辺に設けるようにしてもよい。さらに、図５（Ａ），（Ｂ）のような円形状のクリップを図５（Ｆ）に示すように外形を加工して、上面に熊のキャラクターの絵などを付加することによって、熊型のクリップを構成することができる。なお、同様にして円形状のクリップを適当な形状に加工し、模様などを付加することによって、様々なクリップを構成してもよい。また、上述の実施の形態に示したクリップの形状や厚みテーパーの角度などは設計事項であり、図に示したものに限定されるものではなく適宜変更可能である。
【００２３】
図６は、クリップの第１の変形例を示す図である。上述の実施の形態では、クリップ表面は円形状の場合について説明したが、図５に示すように、クリップ１０の表面にフック部６１〜６４を設けてもよい。図では、４個のフック部６１〜６４を設けているが、フック部の数は任意でよい。また、フック部はこの実施の形態にて図示した種々のクリップに適用可能であり、フック部のあるものとないものの２個を組み合わせてもよい。
【００２４】
図７は、クリップの第２の変形例を示す図である。ここでは、クリップ７１〜７４は、図５（Ｄ）に示すように、２個のテーパー状の底面を備えた長方形状の本体部の側面に、それぞれ結合用の凹凸部を設け、クリップ７１〜７４をそれぞれシリーズに接続できるようにしたものである。このようにクリップ７１〜７４を複数接続することによって、挟持力を調整することができる。なお、図７（Ａ）では、Ｎ極とＳ極を同じ方向に連続的に接続し、図７（Ｂ）では、Ｎ極とＳ極が交互に接続する場合を示している。
【００２５】
上述の実施の形態において、各クリップ表面側（磁石体の設けられていない側）にノベルティーなどの印刷物を貼付したり、透明カバーを設けてその印刷物を保護するようにしてもよい。また、磁石体は片側面に設ける場合について説明したが両側面にも同様に設けてもよい。
【図面の簡単な説明】
【００２６】
【図１】本発明の挟持装置の全体構成を示す図である。
【図２】図１のクリップが掲示板、パーテーション、スチール家具、冷蔵庫等の磁性体面（壁面）に吸着した状態を示す図である。
【図３】図１のクリップを２個組み合わせることによって、シート状のメモ用紙、書類、写真などを挟持したり、衣類やバスタオル、シーツ等を挟持するようにしたものである。
【図４】図３のクリップを２個組み合わせたものを磁性体面に吸着した場合の一例を示す図である。
【図５】本発明に係る実施の形態の変形例を示す図である。
【図６】クリップの第１の変形例を示す図である。
【図７】クリップの第２の変形例を示す図である。
【符号の説明】
【００２７】
１０，１０ａ，１０ｂ…クリップ
１１〜１４，１１ａ〜１４ａ，１１ｂ〜１４ｂ…磁石体
１５〜１８…平坦部
１９…底面部
１Ａ…上面
１Ｂ…滑り止め部材
２０…磁性体面
２２…シート部材
【図１】
2006281743.tif 000003
【図２】
2006281743.tif 000004
【図３】
2006281743.tif 000005
【図４】
2006281743.tif 000006
【図５】
2006281743.tif 000007
【図６】
2006281743.tif 000008
【図７】
2006281743.tif 000009